(57)【要約】【課題】フェージングにより一部無線区間が一時的に不通になっている場合であっても、監視装置に監視対象として登録されない無線アクセス装置が生じることを防ぐ。【解決手段】無線アクセス装置２１０，２２０，２３０，２４０，２５０，２６０のうち監視装置１００と通信が可能であると判定された無線アクセス装置の装置識別情報を隣接データベースに保存し、監視装置の監視対象として登録されている無線アクセス装置の装置識別情報が保存されている登録データベースに保存されている装置識別情報のうち、隣接データベースに保存されていない装置識別情報がある場合、その装置識別情報が付与された無線アクセス装置に対して、所定の時間が経過した後、通信が可能かどうかを再度判定し、一方そうでない場合、または、再度の判定を所定の回数行った場合、隣接データベースに保存されている装置識別情報を登録データベースへコピーする。【選択図】図１
2010178139.tif 000002
【特許請求の範囲】
【請求項１】
無線通信機能を有する複数の無線アクセス装置と、該無線アクセス装置を監視する監視装置とから構成された無線通信システムにおいて、
前記監視装置は、前記複数の無線アクセス装置と通信が可能であるかどうかを判定し、通信が可能であると判定された無線アクセス装置を識別可能に付与された装置識別情報を隣接データベースに保存し、当該監視装置の監視対象として登録されている無線アクセス装置を識別可能に付与された装置識別情報が保存されている登録データベースに保存されている装置識別情報のうち、前記隣接データベースに保存されていない装置識別情報がある場合、該装置識別情報が付与された無線アクセス装置に対して、所定の時間が経過した後、再度前記判定を行い、前記登録データベースに保存されている装置識別情報のうち、前記隣接データベースに保存されていない装置識別情報がない場合、または、前記再度の判定を所定の回数行った場合、前記隣接データベースに保存されている装置識別情報を前記登録データベースへコピーして保存することを特徴とする無線通信システム。
【請求項２】
請求項１に記載の無線通信システムにおいて、
前記監視装置は、前記再度の判定を所定の回数行った場合、その旨を表示することを特徴とする無線通信システム。
【請求項３】
請求項１に記載の無線通信システムにおいて、
前記監視装置は、前記複数の無線アクセス装置へ、該無線アクセス装置と隣接して接続している無線アクセス装置に付与された前記装置識別情報を要求し、該要求に対して該無線アクセス装置から前記装置識別情報が送信されてきた場合、前記装置識別情報が付与された無線アクセス装置と通信が可能であると判定し、
前記無線アクセス装置は、前記要求がされた場合、当該無線アクセス装置と隣接して接続している無線アクセス装置に付与された前記装置識別情報を前記監視装置へ送信することを特徴とする無線通信システム。
【請求項４】
請求項１に記載の無線通信システムにおいて、
前記監視装置は、前記装置識別情報としてＩＰアドレスを前記隣接データベースに保存することを特徴とする無線通信システム。
【請求項５】
請求項３に記載の無線通信システムにおいて、
前記監視装置は、前記装置識別情報としてＩＰアドレスを要求し、
前記無線アクセス装置は、前記装置識別情報としてＩＰアドレスを送信することを特徴とする無線通信システム。
【請求項６】
請求項１に記載の無線通信システムにおいて、
前記監視装置は、前記所定の時間を外部からの入力に応じて設定することを特徴とする無線通信システム。
【請求項７】
請求項１に記載の無線通信システムにおいて、
前記監視装置は、前記所定の回数を外部からの入力に応じて設定することを特徴とする無線通信システム。
【請求項８】
複数の無線アクセス装置を監視する監視装置であって、
当該監視装置の監視対象として登録されている無線アクセス装置を識別可能に付与された装置識別情報を保存する登録データベースと、
前記複数の無線アクセス装置と通信が可能であるかどうかを判定する判定部と、
前記判定部が、前記通信が可能であると判定した無線アクセス装置を識別可能に付与された装置識別情報を保存する隣接データベースと、
前記登録データベースに保存されている装置識別情報のうち、前記隣接データベースに保存されていない装置識別情報があるかどうかを判定する比較部とを有し、
前記判定部は、前記比較部が、前記登録データベースに保存されている装置識別情報のうち、前記隣接データベースに保存されていない装置識別情報があると判定した場合、該装置識別情報が付与された無線アクセス装置に対して、所定の時間が経過した後、再度前記判定を行い、
前記比較部が、前記登録データベースに保存されている装置識別情報のうち、前記隣接データベースに保存されていない装置識別情報がないと判定した場合、または、前記判定部が前記再度の判定を所定の回数行った場合、前記隣接データベースに保存されている装置識別情報を前記登録データベースへコピーして保存する複製部をさらに有する監視装置。
【請求項９】
請求項８に記載の監視装置において、
前記比較部が、前記再度の判定を所定の回数行った場合、その旨を表示する表示部を有することを特徴とする監視装置。
【請求項１０】
請求項８に記載の監視装置において、
前記判定部は、前記複数の無線アクセス装置へ、該無線アクセス装置と隣接して接続している無線アクセス装置に付与された前記装置識別情報を要求し、該要求に対して該無線アクセス装置から前記装置識別情報が送信されてきた場合、前記装置識別情報が付与された無線アクセス装置と通信が可能であると判定することを特徴とする監視装置。
【請求項１１】
請求項１０に記載の監視装置において、
前記判定部は、前記装置識別情報としてＩＰアドレスを要求することを特徴とする監視装置。
【請求項１２】
請求項８に記載の監視装置において、
前記所定の時間が経過したかどうかを計測するタイマーと、
前記再度の判定の回数をカウントするカウンターとを有することを特徴とする監視装置。
【請求項１３】
請求項８に記載の監視装置において、
前記所定の時間と前記所定の回数とを外部からの入力に応じて設定する設定部を有することを特徴とする監視装置。
【請求項１４】
複数の無線アクセス装置を監視する監視装置における監視方法であって、
当該監視装置の監視対象として登録されている無線アクセス装置を識別可能に付与された装置識別情報を登録データベースに保存する処理と、
当該監視装置と前記複数の無線アクセス装置との間で通信が可能であるかどうかを判定する処理と、
前記通信が可能であると判定された無線アクセス装置を識別可能に付与された装置識別情報を隣接データベースに保存する処理と、
前記登録データベースに保存されている装置識別情報のうち、前記隣接データベースに保存されていない装置識別情報があるかどうかを判定する処理と、
前記登録データベースに保存されている装置識別情報のうち、前記隣接データベースに保存されていない装置識別情報があると判定した場合、該装置識別情報が付与された無線アクセス装置に対して、所定の時間が経過した後、再度前記判定を行う処理と、
前記登録データベースに保存されている装置識別情報のうち、前記隣接データベースに保存されていない装置識別情報がないと判定した場合、または、前記再度の判定を所定の回数行った場合、前記隣接データベースに保存されている装置識別情報を前記登録データベースへコピーして保存する処理とを有する監視方法。
【請求項１５】
請求項１４に記載の監視方法において、
前記再度の判定を所定の回数行った場合、その旨を表示する処理を有することを特徴とする監視方法。
【請求項１６】
請求項１４に記載の監視方法において、
前記複数の無線アクセス装置へ、該無線アクセス装置と隣接して接続している無線アクセス装置に付与された前記装置識別情報を要求する処理と、
該要求に対して該無線アクセス装置から前記装置識別情報が送信されてきた場合、当該監視装置と前記装置識別情報が付与された無線アクセス装置との間で通信が可能であると判定する処理とを有することを特徴とする監視方法。
【請求項１７】
請求項１６に記載の監視方法において、
前記装置識別情報としてＩＰアドレスを要求する処理を有することを特徴とする監視方法。
【請求項１８】
請求項１４に記載の監視方法において、
前記所定の時間を外部からの入力に応じて設定する処理と、
前記所定の回数を外部からの入力に応じて設定する処理とを有することを特徴とする監視方法。
【請求項１９】
複数の無線アクセス装置を監視する監視装置に、
当該監視装置の監視対象として登録されている無線アクセス装置を識別可能に付与された装置識別情報を登録データベースに保存する手順と、
当該監視装置と前記複数の無線アクセス装置との間で通信が可能であるかどうかを判定する手順と、
前記通信が可能であると判定された無線アクセス装置を識別可能に付与された装置識別情報を隣接データベースに保存する手順と、
前記登録データベースに保存されている装置識別情報のうち、前記隣接データベースに保存されていない装置識別情報があるかどうかを判定する手順と、
前記登録データベースに保存されている装置識別情報のうち、前記隣接データベースに保存されていない装置識別情報があると判定した場合、該装置識別情報が付与された無線アクセス装置に対して、所定の時間が経過した後、再度前記判定を行う手順と、
前記登録データベースに保存されている装置識別情報のうち、前記隣接データベースに保存されていない装置識別情報がないと判定した場合、または、前記再度の判定を所定の回数行った場合、前記隣接データベースに保存されている装置識別情報を前記登録データベースへコピーして保存する手順とを実行させるためのプログラム。
【請求項２０】
請求項１９に記載のプログラムにおいて、
前記再度の判定を所定の回数行った場合、その旨を表示する手順を実行させるためのプログラム。
【請求項２１】
請求項１９に記載のプログラムにおいて、
前記複数の無線アクセス装置へ、該無線アクセス装置と隣接して接続している無線アクセス装置に付与された前記装置識別情報を要求する手順と、
該要求に対して該無線アクセス装置から前記装置識別情報が送信されてきた場合、当該監視装置と前記装置識別情報が付与された無線アクセス装置との間で通信が可能であると判定する手順とを実行させるためのプログラム。
【請求項２２】
請求項２１に記載のプログラムにおいて、
前記装置識別情報としてＩＰアドレスを要求する手順を実行させるためのプログラム。
【請求項２３】
請求項１９に記載のプログラムにおいて、
前記所定の時間を外部からの入力に応じて設定する手順と、
前記所定の回数を外部からの入力に応じて設定する手順とを実行させるためのプログラム。
【発明の詳細な説明】
【技術分野】
【０００１】
本発明は、無線アクセス装置を監視する無線通信システム、監視装置、監視方法およびプログラムに関する。
【背景技術】
【０００２】
近年、無線技術を用いた通信が多く用いられるようになってきている。
【０００３】
図９は、無線技術を用いた無線通信システムの一例を示す図である。
【０００４】
図９に示した無線通信システムは、監視装置１０００と、無線アクセス装置２００１〜２００４とから構成されている。
【０００５】
監視装置１０００は、無線アクセス装置２００１〜２００４を監視する。
【０００６】
無線アクセス装置２００１〜２００４は、無線通信機能を有する装置である。無線アクセス装置２００１は、監視装置１０００との間で、有線で通信を行う。また、無線アクセス装置２００１は、無線アクセス装置２００２との間で、無線で通信を行う。無線アクセス装置２００２は、無線アクセス装置２００３との間で、有線で通信を行う。無線アクセス装置２００３は、無線アクセス装置２００４との間で、無線で通信を行う。
【０００７】
監視装置１０００は、内部に各無線アクセス装置２００１〜２００４を識別するために無線アクセス装置２００１〜２００４それぞれに付与された装置識別情報（例えば、ＩＰ（Ｉｎｔｅｒｎｅｔ  Ｐｒｏｔｏｃｏｌ）アドレス）をあらかじめ登録し、無線アクセス装置２００１〜２００４を定期的にポーリングすることで無線アクセス装置２００１〜２００４の状態を監視している。
【０００８】
この監視装置１０００に無線アクセス装置２００１〜２００４のＩＰアドレスを登録する方法に関して、「無線アクセス装置に隣接する無線アクセス装置のＩＰアドレスを検出する機構を設ける」、「監視装置が無線アクセス装置の隣接ＩＰアドレス読み出しを行い、この隣接ＩＰアドレスをもとに無線アクセス装置から、さらに隣接ＩＰアドレスを取得する」手法を用いて監視装置に被監視対象を登録する技術が考えられている（例えば、特許文献１参照）。
【先行技術文献】
【特許文献】
【０００９】
【特許文献１】特開２００６−２５３８４９号公報
【発明の概要】
【発明が解決しようとする課題】
【００１０】
しかしながら、上述した技術においては、監視装置が監視する対象となる無線ネットワークに無線アクセス装置の増設を試みた際、フェージングにより一部無線区間が一時的に不通になっている場合、監視装置に監視対象として登録されない無線アクセス装置が生じてしまうおそれがある。
【００１１】
本発明は、上述した課題を解決する無線通信システム、監視装置、監視方法およびプログラムを提供することを目的とする。
【課題を解決するための手段】
【００１２】
本発明の無線通信システムは、
無線通信機能を有する複数の無線アクセス装置と、該無線アクセス装置を監視する監視装置とから構成された無線通信システムであって、
前記監視装置は、前記複数の無線アクセス装置と通信が可能であるかどうかを判定し、通信が可能であると判定された無線アクセス装置を識別可能に付与された装置識別情報を隣接データベースに保存し、当該監視装置の監視対象として登録されている無線アクセス装置を識別可能に付与された装置識別情報が保存されている登録データベースに保存されている装置識別情報のうち、前記隣接データベースに保存されていない装置識別情報がある場合、該装置識別情報が付与された無線アクセス装置に対して、所定の時間が経過した後、再度前記判定を行い、前記登録データベースに保存されている装置識別情報のうち、前記隣接データベースに保存されていない装置識別情報がない場合、または、前記再度の判定を所定の回数行った場合、前記隣接データベースに保存されている装置識別情報を前記登録データベースへコピーして保存することを特徴とする。
【００１３】
また、本発明の監視装置は、
複数の無線アクセス装置を監視する監視装置であって、
当該監視装置の監視対象として登録されている無線アクセス装置を識別可能に付与された装置識別情報を保存する登録データベースと、
前記複数の無線アクセス装置と通信が可能であるかどうかを判定する判定部と、
前記判定部が、前記通信が可能であると判定した無線アクセス装置を識別可能に付与された装置識別情報を保存する隣接データベースと、
前記登録データベースに保存されている装置識別情報のうち、前記隣接データベースに保存されていない装置識別情報があるかどうかを判定する比較部とを有し、
前記判定部は、前記比較部が、前記登録データベースに保存されている装置識別情報のうち、前記隣接データベースに保存されていない装置識別情報があると判定した場合、該装置識別情報が付与された無線アクセス装置に対して、所定の時間が経過した後、再度前記判定を行い、
前記比較部が、前記登録データベースに保存されている装置識別情報のうち、前記隣接データベースに保存されていない装置識別情報がないと判定した場合、または、前記判定部が前記再度の判定を所定の回数行った場合、前記隣接データベースに保存されている装置識別情報を前記登録データベースへコピーして保存する複製部をさらに有する。
【００１４】
また、本発明の監視方法は、
複数の無線アクセス装置を監視する監視装置における監視方法であって、
当該監視装置の監視対象として登録されている無線アクセス装置を識別可能に付与された装置識別情報を登録データベースに保存する処理と、
当該監視装置と前記複数の無線アクセス装置との間で通信が可能であるかどうかを判定する処理と、
前記通信が可能であると判定された無線アクセス装置を識別可能に付与された装置識別情報を隣接データベースに保存する処理と、
前記登録データベースに保存されている装置識別情報のうち、前記隣接データベースに保存されていない装置識別情報があるかどうかを判定する処理と、
前記登録データベースに保存されている装置識別情報のうち、前記隣接データベースに保存されていない装置識別情報があると判定した場合、該装置識別情報が付与された無線アクセス装置に対して、所定の時間が経過した後、再度前記判定を行う処理と、
前記登録データベースに保存されている装置識別情報のうち、前記隣接データベースに保存されていない装置識別情報がないと判定した場合、または、前記再度の判定を所定の回数行った場合、前記隣接データベースに保存されている装置識別情報を前記登録データベースへコピーして保存する処理とを有する。
【００１５】
また、本発明のプログラムは、
複数の無線アクセス装置を監視する監視装置に実行させるためのプログラムであって、
当該監視装置の監視対象として登録されている無線アクセス装置を識別可能に付与された装置識別情報を登録データベースに保存する手順と、
当該監視装置と前記複数の無線アクセス装置との間で通信が可能であるかどうかを判定する手順と、
前記通信が可能であると判定された無線アクセス装置を識別可能に付与された装置識別情報を隣接データベースに保存する手順と、
前記登録データベースに保存されている装置識別情報のうち、前記隣接データベースに保存されていない装置識別情報があるかどうかを判定する手順と、
前記登録データベースに保存されている装置識別情報のうち、前記隣接データベースに保存されていない装置識別情報があると判定した場合、該装置識別情報が付与された無線アクセス装置に対して、所定の時間が経過した後、再度前記判定を行う手順と、
前記登録データベースに保存されている装置識別情報のうち、前記隣接データベースに保存されていない装置識別情報がないと判定した場合、または、前記再度の判定を所定の回数行った場合、前記隣接データベースに保存されている装置識別情報を前記登録データベースへコピーして保存する手順とを実行させる。
【発明の効果】
【００１６】
以上説明したように本発明においては、無線アクセス装置を監視する監視装置と無線アクセス装置との間にて通信が可能であるかどうかを判定し、通信が可能であると判定された無線アクセス装置を識別可能に付与された装置識別情報を隣接データベースに保存し、監視装置の監視対象として登録されている無線アクセス装置を識別可能に付与された装置識別情報が保存されている登録データベースに保存されている装置識別情報のうち、隣接データベースに保存されていない装置識別情報がある場合、その装置識別情報が付与された無線アクセス装置に対して、所定の時間が経過した後、再度判定を行い、登録データベースに保存されている装置識別情報のうち、隣接データベースに保存されていない装置識別情報がない場合、または、再度の判定を所定の回数行った場合、隣接データベースに保存されている装置識別情報を登録データベースへコピーして保存する構成としたため、フェージングにより一部無線区間が一時的に不通になっている場合であっても、監視装置に監視対象として登録されない無線アクセス装置が生じることを防ぐことができる。
【図面の簡単な説明】
【００１７】
【図１】本発明の無線通信システムの実施の一形態を示す図である。
【図２】図１に示した無線アクセス装置を識別するために無線アクセス装置それぞれに装置識別情報として付与されたＩＰアドレスを示す図である。
【図３】図１に示した監視装置の内部構成の一例を示す図である。
【図４】図３に示した隣接ＤＢに保存された情報の一例を示す図である。
【図５】図３に示した前回隣接ＤＢに保存された情報の一例を示す図である。
【図６】図１に示した無線アクセス装置の内部構成の一例を示す図である。
【図７】図１に示した監視装置における無線アクセス装置の監視方法を説明するためのシーケンス図である。
【図８】図１に示した形態において、通信ができなくなった無線アクセス装置がある場合の隣接ＤＢに保存されたＩＰアドレスと隣接ＩＰアドレスとの対応付け情報の一例を示す図である。
【図９】無線技術を用いた無線通信システムの一例を示す図である。
【発明を実施するための形態】
【００１８】
以下に、本発明の実施の形態について図面を参照して説明する。
【００１９】
図１は、本発明の無線通信システムの実施の一形態を示す図である。
【００２０】
本形態は図１に示すように、監視装置１００と、無線アクセス装置２１０，２２０，２３０，２４０，２５０，２６０とから構成されている。
【００２１】
監視装置１００は、無線アクセス装置２１０，２２０，２３０，２４０，２５０，２６０を監視する。
【００２２】
無線アクセス装置２１０，２２０，２３０，２４０，２５０，２６０は、無線通信機能を有する装置である。無線アクセス装置２１０は、監視装置１００との間で、有線で通信を行う。また、無線アクセス装置２１０は、無線アクセス装置２２０との間で、無線で通信を行う。無線アクセス装置２２０は、無線アクセス装置２３０との間で、有線で通信を行う。無線アクセス装置２３０は、無線アクセス装置２４０との間で、無線で通信を行う。無線アクセス装置２５０，２６０は、増設等により、監視装置１００が監視する対象として追加された装置である。無線アクセス装置２５０は、無線アクセス装置２３０との間で、有線で通信を行う。無線アクセス装置２５０は、無線アクセス装置２６０との間で、無線で通信を行う。
【００２３】
図２は、図１に示した無線アクセス装置２１０，２２０，２３０，２４０，２５０，２６０を識別するために無線アクセス装置２１０，２２０，２３０，２４０，２５０，２６０それぞれに装置識別情報として付与されたＩＰアドレスを示す図である。
【００２４】
図２に示すように、無線アクセス装置２１０，２２０，２３０，２４０，２５０，２６０それぞれにＩＰアドレスが付与されている。
【００２５】
例えば、無線アクセス装置２１０にはＩＰアドレス「Ａ」が付与されている。また、無線アクセス装置２２０にはＩＰアドレス「Ｂ」が付与されている。また、無線アクセス装置２３０にはＩＰアドレス「Ｃ」が付与されている。また、無線アクセス装置２４０にはＩＰアドレス「Ｄ」が付与されている。また、無線アクセス装置２５０にはＩＰアドレス「Ｅ」が付与されている。また、無線アクセス装置２６０にはＩＰアドレス「Ｆ」が付与されている。
【００２６】
図３は、図１に示した監視装置１００の内部構成の一例を示す図である。
【００２７】
図１に示した監視装置１００には図２に示すように、前回隣接ＤＢ１０１と、隣接ＤＢ１０２と、検索キュー１０３と、判定部１０４と、比較部１０５と、複製部１０６と、タイマー１０７と、カウンター１０８と、表示部１０９と、設定部１１０とが設けられている。なお、図２には、監視装置１００が有する構成要素のうち、本発明に関わる構成要素のみを示した。
【００２８】
隣接ＤＢ１０２は、監視装置１００と通信が可能であると判定された無線アクセス装置を識別可能に付与された装置識別情報を保存する隣接データベースである。この判定方法および保存方法については、後述する。
【００２９】
図４は、図３に示した隣接ＤＢ１０２に保存された情報の一例を示す図である。
【００３０】
図３に示した隣接ＤＢ１０２には図４に示すように、管理ＩＤと、ＩＰアドレスと、隣接ＩＰアドレスとが対応付けられて保存されている。
【００３１】
管理ＩＤ（Ｉｄｅｎｔｉｆｉｃａｔｉｏｎ）は、ＩＰアドレスと隣接ＩＰアドレスとの対応付けを管理するための番号であり、管理ＩＤの付与方法については特に規定しない。
【００３２】
ＩＰアドレスは、監視装置１００が隣接情報を要求する無線アクセス装置に付与されたＩＰアドレス（装置識別情報）である。ここで、隣接情報とは、当該ＩＰアドレスが付与された無線アクセス装置と隣接して接続されている無線アクセス装置に付与されたＩＰアドレス（装置識別情報）である。
【００３３】
隣接ＩＰアドレスは、上述した隣接情報である。
【００３４】
例えば、管理ＩＤ「１」と、ＩＰアドレス「Ａ」と、隣接ＩＰアドレス「Ｂ」とが対応付けられて保存されている。これは、ＩＰアドレスが「Ａ」である無線アクセス装置２１０が監視装置１００と通信が可能であると判定され、ＩＰアドレスが「Ａ」である無線アクセス装置２１０と隣接して接続されている無線アクセス装置はＩＰアドレスが「Ｂ」である無線アクセス装置２２０であることが管理ＩＤ「１」で保存されていることを示している。また、管理ＩＤ「２」と、ＩＰアドレス「Ｂ」と、隣接ＩＰアドレス「Ａ」、「Ｃ」とが対応付けられて保存されている。これは、ＩＰアドレスが「Ｂ」である無線アクセス装置２２０が監視装置１００と通信が可能であると判定され、ＩＰアドレスが「Ｂ」である無線アクセス装置２２０と隣接して接続されている無線アクセス装置はＩＰアドレスが「Ａ」である無線アクセス装置２１０およびＩＰアドレスが「Ｃ」である無線アクセス装置２３０であることが管理ＩＤ「２」で保存されていることを示している。また、管理ＩＤ「３」と、ＩＰアドレス「Ｃ」と、隣接ＩＰアドレス「Ｂ」、「Ｄ」、「Ｅ」とが対応付けられて保存されている。これは、ＩＰアドレスが「Ｃ」である無線アクセス装置２３０が監視装置１００と通信が可能であると判定され、ＩＰアドレスが「Ｃ」である無線アクセス装置２３０と隣接して接続されている無線アクセス装置はＩＰアドレスが「Ｂ」である無線アクセス装置２２０、ＩＰアドレスが「Ｄ」である無線アクセス装置２４０およびＩＰアドレスが「Ｅ」である無線アクセス装置２５０であることが管理ＩＤ「３」で保存されていることを示している。また、管理ＩＤ「４」と、ＩＰアドレス「Ｄ」と、隣接ＩＰアドレス「Ｃ」とが対応付けられて保存されている。これは、ＩＰアドレスが「Ｄ」である無線アクセス装置２４０が監視装置１００と通信が可能であると判定され、ＩＰアドレスが「Ｄ」である無線アクセス装置２４０と隣接して接続されている無線アクセス装置はＩＰアドレスが「Ｃ」である無線アクセス装置２３０であることが管理ＩＤ「４」で保存されていることを示している。また、管理ＩＤ「５」と、ＩＰアドレス「Ｅ」と、隣接ＩＰアドレス「Ｃ」とが対応付けられて保存されている。これは、ＩＰアドレスが「Ｅ」である無線アクセス装置２５０が監視装置１００と通信が可能であると判定され、ＩＰアドレスが「Ｅ」である無線アクセス装置２５０と隣接して接続されている無線アクセス装置はＩＰアドレスが「Ｃ」である無線アクセス装置２３０であることが管理ＩＤ「５」で保存されていることを示している。また、管理ＩＤ「６」と、ＩＰアドレス「Ｆ」と、隣接ＩＰアドレス「Ｅ」とが対応付けられて保存されている。これは、ＩＰアドレスが「Ｆ」である無線アクセス装置２６０が監視装置１００と通信が可能であると判定され、ＩＰアドレスが「Ｆ」である無線アクセス装置２６０と隣接して接続されている無線アクセス装置はＩＰアドレスが「Ｅ」である無線アクセス装置２５０であることが管理ＩＤ「６」で保存されていることを示している。
【００３５】
また、前回隣接ＤＢ１０１は、監視装置１００の監視対象として登録されている無線アクセス装置を識別可能に付与された装置識別情報を保存する登録データベースである。この保存方法については、後述する。
【００３６】
図５は、図３に示した前回隣接ＤＢ１０１に保存された情報の一例を示す図である。
【００３７】
図３に示した前回隣接ＤＢ１０１には図５に示すように、管理ＩＤと、ＩＰアドレスと、隣接ＩＰアドレスとが対応付けられて保存されている。
【００３８】
管理ＩＤ（Ｉｄｅｎｔｉｆｉｃａｔｉｏｎ）は、ＩＰアドレスと隣接ＩＰアドレスとの対応付けを管理するための番号であり、管理ＩＤの付与方法については特に規定しない。
【００３９】
ＩＰアドレスは、監視装置１００が監視する対象として登録された無線アクセス装置に付与されたＩＰアドレス（装置識別情報）である。
【００４０】
隣接ＩＰアドレスは、ＩＰアドレスが付与された無線アクセス装置と隣接して接続されている無線アクセス装置に付与されたＩＰアドレス（装置識別情報）である。
【００４１】
例えば、管理ＩＤ「１」と、ＩＰアドレス「Ａ」と、隣接ＩＰアドレス「Ｂ」とが対応付けられて保存されている。これは、ＩＰアドレスが「Ａ」である無線アクセス装置２１０が監視装置１００が監視する対象であり、ＩＰアドレスが「Ａ」である無線アクセス装置２１０と隣接して接続されている無線アクセス装置はＩＰアドレスが「Ｂ」である無線アクセス装置２２０であることが管理ＩＤ「１」で保存されていることを示している。また、管理ＩＤ「２」と、ＩＰアドレス「Ｂ」と、隣接ＩＰアドレス「Ａ」、「Ｃ」とが対応付けられて保存されている。これは、ＩＰアドレスが「Ｂ」である無線アクセス装置２２０が監視装置１００が監視する対象であり、ＩＰアドレスが「Ｂ」である無線アクセス装置２２０と隣接して接続されている無線アクセス装置はＩＰアドレスが「Ａ」である無線アクセス装置２１０およびＩＰアドレスが「Ｃ」である無線アクセス装置２３０であることが管理ＩＤ「２」で保存されていることを示している。また、管理ＩＤ「３」と、ＩＰアドレス「Ｃ」と、隣接ＩＰアドレス「Ｂ」とが対応付けられて保存されている。これは、ＩＰアドレスが「Ｃ」である無線アクセス装置２３０が監視装置１００が監視する対象であり、ＩＰアドレスが「Ｃ」である無線アクセス装置２３０と隣接して接続されている無線アクセス装置はＩＰアドレスが「Ｂ」である無線アクセス装置２２０であることが管理ＩＤ「３」で保存されていることを示している。また、管理ＩＤ「４」と、ＩＰアドレス「Ｄ」と、隣接ＩＰアドレス「Ｃ」とが対応付けられて保存されている。これは、ＩＰアドレスが「Ｄ」である無線アクセス装置２４０が監視装置１００が監視する対象であり、ＩＰアドレスが「Ｄ」である無線アクセス装置２４０と隣接して接続されている無線アクセス装置はＩＰアドレスが「Ｃ」である無線アクセス装置２３０であることが管理ＩＤ「４」で保存されていることを示している。
【００４２】
また、検索キュー１０３は、隣接情報を要求する対象となる無線アクセス装置に付与されたＩＰアドレス（装置識別情報）を一時的に保存する。
【００４３】
判定部１０４は、監視装置１００と通信可能な無線アクセス装置を判定する。この判定方法は、判定部１０４から要求した隣接情報を受信した場合、当該隣接情報が付与された無線アクセス装置は監視装置１００と通信が可能であると判定する。この具体的な方法については、後述する。
【００４４】
比較部１０５は、前回隣接ＤＢ１０１に保存された情報と、隣接ＤＢ１０２に保存された情報とを比較し、比較した結果を判定部１０４、複製部１０６および表示部１０９へ出力する。
【００４５】
複製部１０６は、比較部１０５における比較の結果、または、カウンター１０８が示す値があらかじめ設定された閾値を超えたか否かに基づいて、隣接ＤＢ１０２に保存されている内容を前回隣接ＤＢ１０１にコピーする。
【００４６】
タイマー１０７は、時間を計測する時計である。タイマー１０７は、比較部１０５における比較の結果に基づいて、時間の計時を開始し、所定の時間が経過した際、その旨を判定部１０４へ通知する。
【００４７】
カウンター１０８は、判定部１０４からの判定結果に基づいて、回数の加算処理（カウント）を行う。また、カウンター１０８は、カウンター１０８が示す値を複製部１０６へ通知する。
【００４８】
表示部１０９は、比較部１０５における比較の結果に基づいて、情報を表示する。
【００４９】
設定部１１０は外部からの入力に応じて、タイマー１０７およびカウンター１０８の値を設定する。
【００５０】
図６は、図１に示した無線アクセス装置２１０の内部構成の一例を示す図である。
【００５１】
図１に示した無線アクセス装置２１０には図６に示すように、変調器２１１と、送信機２１２と、復調器２１３と、受信機２１４と、分波器２１５と、アンテナ２１６と、入出力子２１７とが設けられている。なお、図６には、無線アクセス装置２１０が有する構成要素のうち、本発明に関わる構成要素のみを示した。また、無線アクセス装置２２０，２３０，２４０，２５０，２６０についても、図６に示した無線アクセス装置２１０が有する構成要素が設けられている。
【００５２】
変調器２１１は、入出力子２１７にて入力した信号を変調して送信機２１２へ出力する。
【００５３】
送信機２１２は、変調器２１１から出力された信号を増幅して分波器２１５へ出力する。
【００５４】
分波器２１５は、送信機２１２から出力された信号と、アンテナ２１６から出力された信号との電波の分配を行う。
【００５５】
アンテナ２１６は、分波器２１５にて分配された無線区間へ送信する信号を送信する。また、無線区間から送信されてきた信号を受信し、分波器２１５へ出力する。
【００５６】
受信機２１４は、分波器２１５から出力された信号を受信し、復調器２１３へ出力する。
【００５７】
復調器２１３は、受信機２１４から出力された信号を復調して入出力子２１７へ出力する。
【００５８】
入出力子２１７は、無線アクセス装置２１０と外部機器とのインタフェースとなる端子である。
【００５９】
以下に、監視装置１００における無線アクセス装置２１０，２２０，２３０，２４０，２５０，２６０の監視方法について説明する。
【００６０】
図７は、図１に示した監視装置１００における無線アクセス装置２１０，２２０，２３０，２４０，２５０，２６０の監視方法を説明するためのシーケンス図である。
【００６１】
まず、無線アクセス装置２１０，２２０，２３０，２４０，２５０，２６０間にて、互いの隣接情報（装置識別情報）が取得される（ステップＳ１）。この取得方法は、隣接する無線アクセス装置の装置識別情報が取得できれば良く、具体的な方法については規定しない。また、以下、装置識別情報がＩＰアドレスである場合を例に挙げて説明する。
【００６２】
また、監視装置１００にて、この状態でオペレータによって無線アクセス装置２１０のＩＰアドレスＡが入力されると、入力された無線アクセス装置２１０のＩＰアドレスＡが検索キュー１０３に登録される（ステップＳ２）。
【００６３】
続いて、検索キュー１０３が空きであるかどうかが判定部１０４によって判定される（ステップＳ３）。ここでは、検索キュー１０３にＩＰアドレスＡが登録されているため、検索キュー１０３は空きではないと判定される。
【００６４】
検索キュー１０３が空きではないと判定された場合、検索キュー１０３に登録されているＩＰアドレス（この場合、ＩＰアドレスＡ）が判定部１０４によって取り出される（ステップＳ４）。
【００６５】
すると、判定部１０４によって検索キュー１０３から取り出されたＩＰアドレスＡを用いて、無線アクセス装置２１０へ隣接情報が要求される（ステップＳ５）。
【００６６】
監視装置１００から隣接情報が要求された無線アクセス装置２１０にて、ステップＳ１にて取得された隣接情報が隣接情報応答として監視装置１００へ送信される（ステップＳ６）。図１に示した形態においては、無線アクセス装置２１０に隣接して接続された無線アクセス装置は無線アクセス装置２２０であるため、無線アクセス装置２２０のＩＰアドレスＢが送信される。
【００６７】
無線アクセス装置２１０から送信されてきた隣接情報（ＩＰアドレスＢ）は、判定部１０４によって図４に示すように隣接ＤＢ１０２に保存される（ステップＳ７）。また、この隣接ＤＢ１０２に保存された隣接情報が付与された無線アクセス装置は、監視装置１００と通信可能であると判定される。
【００６８】
続いて、隣接情報を取得すべき無線アクセス装置がほかにあるかどうかが判定部１０４によって判定される（ステップＳ８）。この判定は、以下のように判定が行われる。
【００６９】
判定部１０４によって、隣接ＤＢ１０２に保存されている情報のうち、図４に示したＩＰアドレス列と隣接ＩＰアドレス列とが比較される。そして、比較の結果、隣接ＩＰアドレス列に存在し、かつＩＰアドレス列に存在しないＩＰアドレスがある場合、隣接情報を取得すべき無線アクセス装置がほかにあると判定される。ここでは、ＩＰアドレスＢが付与された無線アクセス装置２２０が隣接情報を取得すべき無線アクセス装置であると判定される。そして、ＩＰアドレスＢが判定部１０４によって検索キュー１０３へ登録され（ステップＳ９）、ＩＰアドレスＢについてステップＳ４の処理が行われる。図１に示した形態においては、ステップＳ４〜Ｓ８の処理が、ＩＰアドレスＢ，Ｃ，Ｄ，Ｅ，Ｆについて行われる。
【００７０】
一方、ステップＳ８にて隣接情報を取得すべき無線アクセス装置がほかにないと判定部１０４によって判定された場合、つまり、ＩＰアドレスＡ，Ｂ，Ｃ，Ｄ，Ｅ，Ｆについて隣接情報が隣接ＤＢ１０２に保存された場合、隣接ＤＢ１０２に保存されている情報と前回隣接ＤＢ１０１に保存されている情報とが比較部１０５にて比較される（ステップＳ１０）。この比較は具体的には、前回隣接ＤＢ１０１に保存されているＩＰアドレスのうち、隣接ＤＢ１０２に保存されていないＩＰアドレスがあるかどうかが判定される。
【００７１】
ステップＳ１０にて、前回隣接ＤＢ１０１に保存されているＩＰアドレスのうち、隣接ＤＢ１０２に保存されていないＩＰアドレスがないと判定された場合、隣接ＤＢ１０２に保存されている情報（ＩＰアドレス）が、複製部１０６によって前回隣接ＤＢ１０１にコピーして保存される（ステップＳ１１）。
【００７２】
一方、ステップＳ１０にて、前回隣接ＤＢ１０１に保存されているＩＰアドレスのうち、隣接ＤＢ１０２に保存されていないＩＰアドレスがあると判定された場合、カウンター１０８が示している回数があらかじめ設定された回数（閾値）を超えているかどうかが判定部１０４によって判定される（ステップＳ１２）。
【００７３】
図８は、図１に示した形態において、無線アクセス装置２３０と無線アクセス装置２４０との間の通信ができなくなった場合の隣接ＤＢ１０２に保存されたＩＰアドレスと隣接ＩＰアドレスとの対応付け情報の一例を示す図である。
【００７４】
図８に示すように、図１に示した形態において、無線アクセス装置２３０と無線アクセス装置２４０との間の通信ができなくなった場合、図５に示した前回隣接ＤＢ１０１に保存されたＩＰアドレスのうち、ＩＰアドレスＤに関するＩＰアドレスが存在しなくなっている。このような場合、ステップＳ１２の処理が行われる。
【００７５】
ステップＳ１２にて、カウンター１０８が示している回数があらかじめ設定された回数を超えていると判定された場合、ステップＳ１１の処理が行われる。そのとき、表示部１０９にその旨が表示される。この表示内容は、隣接情報の取得の試みを所定の回数行ったが、隣接情報が取得できない（通信ができない）旨を示す情報であっても良い。
【００７６】
一方、ステップＳ１２にて、カウンター１０８が示している回数があらかじめ設定された回数を超えていないと判定された場合、前回隣接ＤＢ１０１に保存されているＩＰアドレスのうち、隣接ＤＢ１０２に保存されていないＩＰアドレスが検索キュー１０３に登録される（ステップＳ１３）。
【００７７】
また、カウンター１０８が示している回数が判定部１０４によって１だけ加算される（ステップＳ１４）。
【００７８】
その後、タイマー１０７によって計時が開始され、あらかじめ設定された時間が経過した後（ステップＳ１５）、ステップＳ１３にて検索キュー１０３に登録されたＩＰアドレスについてステップＳ４の処理が行われる。つまり、前回隣接ＤＢ１０１に保存されているＩＰアドレスのうち、隣接ＤＢ１０２に保存されていないＩＰアドレスに対して、所定の時間が経過した後、再度隣接情報の取得が行われる。
【００７９】
また、ステップＳ１２にてカウンター１０８が示す回数が所定の回数を超えていない場合、処理を繰り返すため、一時的に通信ができなくなっている無線アクセス装置を登録しないことを保護段数を用いることにより防ぐことができる。
【００８０】
なお、上述した監視装置１００の処理は、目的に応じて作製された論理回路で行うようにしても良い。また、処理内容を手順として記述したプログラムを監視装置１００にて読取可能な記録媒体に記録し、この記録媒体に記録されたプログラムを監視装置１００に読み込ませ、実行するものであっても良い。監視装置１００にて読取可能な記録媒体とは、フロッピーディスク（登録商標）、光磁気ディスク、ＤＶＤ、ＣＤなどの移設可能な記録媒体の他、監視装置１００に内蔵されたＲＯＭ、ＲＡＭ等のメモリやＨＤＤ等を指す。この記録媒体に記録されたプログラムは、監視装置１００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００８１】
以上説明したように、本発明においては、以下に記載するような効果を奏する。
【００８２】
第１の効果は、フェージングによる無線区間の不通が原因で隣接探索および監視装置への自動登録監視システムへの登録に失敗した装置を監視システムが検出し、ある程度の時間差を設けて再度、隣接自動登録を自動的に実行することで、登録漏れを無くすことができる点である。
【００８３】
第２の効果は、フェージングによる無線区間の不通が原因で隣接探索および監視装置への自動登録に失敗した装置をオペレータが把握できる点である。
【符号の説明】
【００８４】
１００    監視装置
１０１    前回隣接ＤＢ
１０２    隣接ＤＢ
１０３    検索キュー
１０４    判定部
１０５    比較部
１０６    複製部
１０７    タイマー
１０８    カウンター
１０９    表示部
１１０    設定部
２１０，２２０，２３０，２４０，２５０，２６０    無線アクセス装置
２１１    変調器
２１２    送信機
２１３    復調器
２１４    受信機
２１５    分波器
２１６    アンテナ
２１７    入出力子
【図１】
2010178139.tif 000003
【図２】
2010178139.tif 000004
【図３】
2010178139.tif 000005
【図４】
2010178139.tif 000006
【図５】
2010178139.tif 000007
【図６】
2010178139.tif 000008
【図７】
2010178139.tif 000009
【図８】
2010178139.tif 000010
【図９】
2010178139.tif 000011